(57)【要約】      （修正有）【課題】体裁よく携帯に便利で、軽くて丈夫な実用的ヘルメットを提供する。【解決手段】半球型ヘルメットを、前・中・後部に三分し、再び前部と中部、中部と後部を整合させ、整合の線上に基を定め、そこを前部・後部の回転の軸として、前部・後部を全開すると自動的に回転軸にストッパがかかり、強固なヘルメットとなり、その内側に軽いネット帽を張り、空気孔を中部・後部に装着し、逆に前部・後部を内に回転すると、中部の中に前部・後部のネットが船底型に納まることを特徴とする。【選択図】図１１
0003151559.tif 000002
【実用新案登録請求の範囲】
【請求項１】
本発明は、半球型ヘルメットを，前部、中部、後部と、変型した形に三分し、普段は中部の内側に前部、後部とネット帽子を折り込み、、いつでも、どこでも体裁よく携帯便利にした。いざ必要の時、中部から、前部、後部とネット帽を取り出し、展開すれば即座にヘルメットとなり、補強面、安全面、保健衛生面を考慮に入れ、仕組まれた実用型ヘルメットである。
【考案の詳細な説明】
【技術分野】
【０００１】本発明は、常時体裁よく、携帯便利、軽くて丈夫で、いざという時は、即座に実用的ヘルメットとして着用できる。
【背景技術】
【０００２】日本は世界でもトップクラスの地震国で、いつどこで起きてもおかしくない。いや現に、毎年のように起きている現状にある。それに加えて、台風、梅雨等の自然災害。また火災等、人的災害も多い。その割に、慣れて、またかと、よそ事に受け止められがちである。が、実は、この災害をくぐり抜け、生きのびることは、容易でない。【０００３】この厳しさを我が事として受けとめ、護身の備えが必要になる。「備えあれば憂い無し」「ころばぬ先の杖」として。護身の第一は、頭部の保護である。ここに、ヘルメットが必要となる。だからといって、普段、市販のかさばったあのヘルメットをかぶったり、肩からしょって持ちあるくには、抵抗がある。その必要性と、抵抗を解決する為に、考案されたのが「携帯便利折たたみ式実用ヘルメット」である。
【考案の開示】
【考案が解決しようとする課題】
【０００４】頭部保護のため、ヘルメットは絶対必要であり、バイク、自転車等の運転には法によって着用が義務づけられている。ドライバーが運転時、着用していても、当然のこととして別に違和感をもたない。しかし、普段、若い女性がヘルメットをかぶり、かさばるヘルメットを肩からしょって歩いていたら、『何事か？』と、まわりの人は心ざわめくだろう。しかし、災害時となると、その見方は一変する。【０００５】その非常災害が、いつ、どこで起こってもおかしくない状況において、「ヘルメットを」常時携帯できたら、それに越したことはない。それにはどうしたらよいか、となる。
【課題を解決する為の手段】
【０００６】普段は，かさばるヘルメットを折りたたみ、コンパクトにして、女性のショルダーバック、男性のバッグにしのばせ、必要なとき、いつでも，どこでも瞬時にして、もとのヘルメットに戻し、着用できる。その期待に答えたい。
【０００７】本発明は、第一番に「軽くて丈夫で、しかも実用的に耐える強度を持つ」に答えて素材を炭素系ファイバーとする。
折りたたみにしてコンパクトにする為に、どんな設計図をと考えた。その結果、半球型ヘルメットを，前部、中部、後部に変型した形に三分した。中部を本体にして前部と中部、中部と後部の整合をはかると共に前部、後部を中部の両側面に鳩目で止め、そこを、前、後部の回転軸とした。
併せて、前部と中部、中部と後部の合せめは、整合とともに縁にそってヘルメットの補強と、ずれないようにストッパをかねて縁に沿ってファイバー繊維の山をもうけた。
【０００８】更にヘルメットの前部、中部、後部の内側には、ネット帽子が組み込まれ、着用の便利さと速さをはかった。また、安全面を考え衝撃をやわらげる為にヘルメットとネットの空間を広く設けると共に、頭部、毛髪が蒸れないように、衛生面を考えて中部と後部の合せめに、日光、雨がはいらぬように、日射しよけ，雨よけのついた空気孔を設け、外気との対流を良くした。
【０００９】以上、検討の上編み出された設計図は、前後、後部、それにネット帽は、本体とする中部の中に折り込まれている。しかし非常となると即座に中部から前・後部、ネットが展開され、その時、自動的に前部、中部、後部が動かぬ様ストッパーがかかり、強固な実用的ヘルメットに早変わり、ネット帽をかぶれば、着用完了となる。
【考案の効果】
【００１０】軽くて丈夫。体裁よく、何時でもどこでも、バッグの中にしのばせ、老若男女を問わず常時携帯できる。そして、いざという時、即座に実用ヘルメットとして使用でき、生命のもと、頭部を護ることができる。色彩、サイズ等、好みによって自由に選べ、しかも操作が簡単である。災害の多い日本では、否、海外でも、ショルダーバッグに医療品などと共にしのばせ携帯していれば心強い。転ばぬ先の杖として、生涯の友としたい。使用しないで済めば、これ幸いである。
【考案を実施する為の最良の形態】
【００１１】以下、本考案の実施形態を図面に沿って説明する。
【図面の簡単な説明】
【００１２】
【図１】半円球のヘルメットを、強度を保ちつつ、如何に携帯しやすく便利な、コンパクトにまとめるか、で苦心した。結果［１］前部・［２］中部・［３］後部に３分した設計図とした。（ヘルメット側面図）
【図２】分かり易くする為に［図１］の設計図を、３部分に分解した。二重線の部分は、部分の合せ目、又はヘルメットの縁となるところ。［ａ］は、［１］前部・［２］中部・［３］後部の接合したときの、回転軸となり鳩目でとめる場所。（側面から見た図）
【図３】［１］前部と［３］後部を［２］中部に接合し鳩目の［２ａ］でとめ、［２］中部を本体とする中に［１］前部・［２］後部をたたみ込んだ図。［１・２］、［２・３］は［１］と［２］、［２・３］の接合部分となる。（側面図）
【図４】［図３］の断面図で［１］前部、［３］後部が［２］中部の本体の中にたたみ込んだ図。点線は、［１］前部［２］中部［３］後部が重なって納まっている図。［４］イチョウの葉型は、［１］・［２］・［３］を固定するストッパー。
【図５】［図４］を展開してヘルメットにした断面図。
【図６】［図５］の［４］のストッパーの拡大図で［１］、［２］、［３］が相互に動かぬように固くとめている。ストッパーは、展開した時、自動的にはたらく仕組み。
【図７】［図５］のヘルメットを前正面からみた図。［ａ］は鳩目。
【図８】［図５］のヘルメットを後正面からみた図。［２ｃ］は、［２］の合わせ目につけた空気孔。
【図９】［図８］の［２ｃ］空気孔を拡大した図で、ヘルメット内部の空気の流通をよくし、安全、保健衛生面から設けた。点線は、雨よけ、日よけのひさし。
【図１０】ヘルメット［５］にネット帽を組み込んだ断面図。
【図１１】上図は、折りたたみ式の携帯ヘルメットをコンパクトにまとめた完成図。下図は、展開して、ヘルメットにしたときの完成図。
【符号の説明】
［１］は、ヘルメットを３部分にしたときの前部。
［２］は、ヘルメットを３部分にしたときの中部で本体となる。
［３］は，ヘルメットを３部分にしたときの後部
［４］は［１］、［２］、［３］を固定する自動的ストッパーで、両側面にある。
［５］は、ヘルメット［１］、［２］、［３］に固定されたネット帽（ネットバンド）。自由に使用者の頭にあわせ調整できる。
［１ａ］、［２ａ］、［３ａ］は、［１］と［２］、［２］と［３］の回転軸の中心で、鳩目でがっちりと固定してある。両側面に二カ所ずつ。
【図１】
0003151559.tif 000003
【図２】
0003151559.tif 000004
【図３】
0003151559.tif 000005
【図４】
0003151559.tif 000006
【図５】
0003151559.tif 000007
【図６】
0003151559.tif 000008
【図７】
0003151559.tif 000009
【図８】
0003151559.tif 000010
【図９】
0003151559.tif 000011
【図１０】
0003151559.tif 000012
【図１１】
0003151559.tif 000013
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
半球型ヘルメットを、前部・中部・後部と三部に分け、前部と中部、中部と後部を外れぬ様に工作整合し、整合線の基を、前部・後部の回転の軸とする。その為、前部・中部・後部のそれぞれに半円の耳をつけ、半円の中心を軸とし、鳩目か螺で締める。併せて、ヘルメットの内側に着用に便利なネット帽を着け、更に中部と後部の接合線の中部側に、ひさしのついた空気孔を設け、内外の対流を図り、頭・髪の蒸れを防ぎ、ヘルメットを全開した時、自動的にストッパが作用し、がっちりとヘルメットが固定する。以上、いざと云う時に使用し、常時は中部の内側に前部・後部・ネット帽をしまい込み、コンパクトにまとめた携帯便利、折りたたみ式実用ヘルメット。
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
半球型ヘルメットを、前・中・後部に三分し、再び前部と中部、中部と後部を整合させ、整合の線上に基いを定め、そこを前部・後部の回転の軸として、前部・後部を全開すると自動的に回転軸にストッパがかかり、強固なヘルメットとなり、その内側に軽いネット帽を張り、ヘルメット内の温度上昇、頭髪の蒸れ防止の空気孔を、中部、後部に装着し、逆に前部・後部を内に回転すると，中部の中に前部・後部のネットが船底型に納まり、この船底型をショルダ−バッグに収納することで、携帯に便利な実用ヘルメット。